(57)【要約】本発明は、媒体アクセス制御デバイス（２）からディジタルインターフェース（ＩＦ１）を介して物理層（ＰＨＹ）及びアンテナ（３）を経て伝送線路（４）へデータを伝送する伝送システム（１）であって、前記物理層（ＰＨＹ）はベースバンドコントローラ（５）と、複数の機能ブロック（ＦＢ１〜ＦＢ１３）を具えるデータ処理パイプライン（６）とを具えている伝送システムを校正する方法に関し、本発明の方法は、校正制御レジスタ（Ｒ）を設定するステップと、このとき、伝送システム（１）を校正モードに設定し、伝送システム（１）が所定数の単一テストトーン（Ｔ）を発生し、これらのテストトーンを順次に送信するするステップと、テストトーン（Ｔ）の送信後に、戻ってきたテストトーン（Ｔ）を検出し、それらのレベル、特に電力レベル及び伝送線路（４）のスペクトル特性を測定するステップとを具える。
2009518988.tif 000002
【特許請求の範囲】
【請求項１】
媒体アクセス制御デバイスからディジタルインターフェースを介して物理層及びアンテナを経て伝送線路へデータを伝送する伝送システムであって、前記物理層はベースバンドコントローラと、複数の機能ブロックを具えるデータ処理パイプラインとを具えている伝送システムを校正する方法において、
校正制御レジスタを設定するステップと、
このとき、伝送システムを校正モードに設定し、伝送システムが所定数の単一テストトーンを発生し、これらのテストトーンを順次に送信するするステップと、
テストトーンの送信後に、戻ってきたテストトーンを検出し、それらのレベル、特に電力レベル及び伝送線路のスペクトル特性を測定するステップと、
を具えることを特徴とする校正方法。
【請求項２】
前記単一テストトーンは、前記伝送線路のスペクトル特性を測定するために、所定の異なる周波数で発生されることを特徴とする請求項１に記載の校正方法。
【請求項３】
所定数のパイロットトーンを単一テストトーンとして使用することを特徴とする請求項１又は２に記載の校正方法。
【請求項４】
前記戻ってきたテストトーンの測定レベルを用いて前記伝送線路を校正することを特徴とする請求項１−３の何れかに記載の校正方法。
【請求項５】
前記ベースバンドコントローラが種々のテストトーンのレベルを測定し、伝送線路内の種々の伝送トーンに対して適切なスケールファクタを設定することを特徴とする請求項１−４の何れかに記載の校正方法。
【請求項６】
前記複数の機能ブロックのうちの一つをトーン発生器として使用することを特徴とする請求項１−５の何れかに記載の校正方法。
【請求項７】
ＦＦＴ機能ブロックを、出力信号を単一トーンモードで発生するように調整することを特徴とする請求項１−６の何れかに記載の校正方法。
【請求項８】
プリアンブル機能ブロックを校正モードに設定し、シングルフレームの伝送をエンドレスに反復させることを特徴とする請求項１−６の何れかに記載の校正方法。
【請求項９】
前記媒体アクセス制御デバイスがゼロフレーム伝送又はその長さがトーン測定時間の長さと相関するフレームの伝送を初期設定することを特徴とする請求項１−６の何れかに記載の校正方法。
【請求項１０】
伝送システムのスペクトル校正モード中、サフィックススペース挿入をディセーブルすることを特徴とする請求項１−９の何れかに記載の校正方法。
【請求項１１】
サフィックススペース挿入機能ブロックが実際のテストトーン以外のすべてのトーンを抑圧することを特徴とする請求項１０記載の校正方法。
【請求項１２】
媒体アクセス制御デバイスからディジタルインターフェースを介して物理層及びアンテナを経て伝送線路へデータを伝送する伝送システムであって、前記物理層はベースバンドコントローラと、複数の機能ブロックを具えるデータ処理パイプラインとを具えている伝送システムを校正するシステムにおいて、
校正制御レジスタを設定するステップと、
このとき、伝送システムを校正モードに設定し、伝送システムが所定数の単一テストトーンを発生し、これらのテストトーンを順次に送信するするステップと、
テストトーンの送信後に、戻ってきたテストトーンを検出し、それらのレベル、特に電力レベル及び伝送線路のスペクトル特性を測定するステップと、
を具えることを特徴とする校正システム。
【請求項１３】
前記ベースバンドコントローラが種々のテストトーンのレベルを測定し、伝送線路内の種々の伝送トーンに対して適切なスケールファクタを設定することを特徴とする請求項１２に記載の校正システム。
【請求項１４】
前記複数の機能ブロックのうちの一つがトーン発生器として使用されることを特徴とする請求項１２又は１３に記載の校正システム。
【請求項１５】
ＦＦＴ機能ブロックが、出力信号を単一トーンモードで発生するように調整されることを特徴とする請求項１２−１４の何れかに記載の校正システム。
【請求項１６】
プリアンブル機能ブロックが校正モードに設定され、シングルフレームの伝送をエンドレスに反復することを特徴とする請求項１２−１４の何れかに記載の校正システム。
【請求項１７】
前記媒体アクセス制御デバイスがゼロフレーム伝送又はその長さがトーン測定時間の長さと相関するフレームの伝送を初期設定されることを特徴とする請求項１２−１４の何れかに記載の校正システム。
【請求項１８】
伝送システムのスペクトル校正モード中、サフィックススペース挿入がディセーブルされることを特徴とする請求項１２−１７の何れかに記載の校正システム。
【請求項１９】
サフィックススペース挿入機能ブロックが実際のテストトーン以外のすべてのトーンを抑圧することを特徴とする請求項１８に記載の校正方システム。
【発明の詳細な説明】
【技術分野】
【０００１】
本発明は、媒体アクセス制御デバイスからディジタルインターフェースを介して物理層及びアンテナを経て伝送線路へデータを伝送する伝送システムであって、前記物理層はベースバンドコントローラと、複数の機能ブロックを具えるデータ処理パイプラインとを具えている伝送システムを校正する方法及びシステムに関する。
【背景技術】
【０００２】
このような特徴を有する伝送システムは特に通信装置（ＵＷＢ（超広帯域）送信機ともいう）に使用されている。この伝送システムは、ポケットＰＣ、携帯電話、ディジタルカメラなどのいくつかの電子機器に集積化できる超広帯域トランシーバのようなトランシーバの一部分を構成する。
【０００３】
最新の通信又は伝送システムはディジタル信号処理技術に基づいている。このような通信システムは信号を送受信できる。伝送線路におけるスペクトル特性はさまざまである。信号を正確に送信及び受信するためには、システム干渉を低減し、システム送信容量を増大し、システム送信電力を減少させ、受信感度を向上させる必要がある。
【０００４】
更に、電子素子、特に能動素子の特性は互いに相違し、動作周波数及び周囲温度に対するそれらの感度も相違し、この理由のためにすべての送信及び受信パスまたはリンクの特性の変化が相違するため、システム校正を周期的に行う必要がある。
【０００５】
通常、既知の通信システムにおいて校正を行うとき、通信システムは校正モードで動作する。校正は、追加の正弦波発生器を用いてテスト信号又はテストトーンを所定の周波数で発生させることによって行われる。テスト信号は通信システムにより送信され、受信される。すべての送信及び受信テスト信号のレベルを測定し、受信及び送信信号の振幅比を決定する。これが校正方法の一般的な手法である。
【０００６】
ＵＷＢ通信システムの技術仕様書は、トランシーバの校正に関する要件を明記していない。しかし、これらの通信デバイスは使用前に校正する必要があることが一般に知られている。
【０００７】
送信機のアナログフロントエンドデバイスの既知の校正方法は、スペクトル特性又は平坦性の校正である。送信機が一組のテストトーンを、受信回路でそれらを受信する時間まで送信する。測定された電力から送信回路の線形性などの情報を得ることができ、その後この情報を用いて、校正すべきデバイスの異なる帯域に対して異なる減衰を与えることによってスペクトル帯域を平衡させることができる。この種の校正に使用される技術思想は単一の連続トーンの同時伝送に基づいている。
【０００８】
対照的に、ＵＷＢ通信デバイスは、ゼロパッドギャップにより時間的に分割された一組の重畳トーンを送信する。従って、現在のＵＷＢ通信デバイスはスペクトル平坦性校正が実現されず、またテストトーンはアナログフロントエンドに直接取り付けられた別個のトーン発生器回路により発生される。本発明は、スペクトル平坦性校正を実行するための追加の労力を必要としない送信機のアーキテクチャを提案する。
【発明の開示】
【発明が解決しようとする課題】
【０００９】
本発明の目的は、媒体アクセス制御デバイスからディジタルインターフェースを介して物理層及びアンテナへデータを伝送する伝送システムを追加のハードウェア構成要素を必要とすることなく周期的に校正できる方法及びシステムを特定することにある。
【課題を解決するための手段】
【００１０】
上記の課題は、請求項１に記載の特徴を具える方法及び請求項１２に記載の特徴を具えるシステムにより解決される。
【００１１】
本発明の有利な実施の形態はそれぞれの従属請求項に記載されている。
【００１２】
本発明は、媒体アクセス制御デバイスからディジタルインターフェースを介して物理層及びアンテナを経て伝送線路へデータを伝送する伝送システムであって、前記物理層はベースバンドコントローラと、複数の機能ブロックを具えるデータ処理パイプラインとを具えている伝送システムを校正する方法において、
校正制御レジスタを設定するステップと、
このとき、伝送システムを校正モードに設定し、伝送システムが所定数の単一テストトーンを発生し、これらのテストトーンを順次に送信するするステップと、
テストトーンの送信後に、戻ってきたテストトーンを検出し、それらのレベル、特に電力レベル及び伝送線路のスペクトル特性を測定するステップと、
を具えることを特徴とする。
【００１３】
このように伝送システム自体を用いるテストトーンの発生は、テストトーンを発生し制御する簡単な方法である。この方法によれば、追加のハードウェア、即ち正弦波発生器の内部実装又は追加の外部実装のためのコストが節約できる。言い換えれば、伝送システムが伝送線路のスペクトル特性を測定するために再利用される。伝送システムが校正モードにおいてのみ働き、何の追加のハードウェア構成要素も必要としないために、電力消費が従来の伝送システムより低くなる。
【００１４】
５２８ＭＨｚの帯域幅を有する伝送線路全体のスペクトル特性を測定するために、複数の単一テストトーンを関連する５２８ＭＨｚ帯域内の所定の異なる周波数で発生させる。１ＧＨｚに亘って複数の５２８ＭＨｚを有する伝送チャネル全体のスペクトル特性を測定するために、１つの帯域につき１つの単一テストトーンを用いる。１つの単一テストトーンを順次に異なる５２８ＭＨｚ帯域で送信するのが有利である。特に、伝送線路又はチャネルは周期的に、例えば１００ｍｓごとに、又は所定の状態のときに測定され校正される。
【００１５】
本発明の他の実施例では、戻ってきたテストトーンの測定レベルは伝送線路を校正するために使用する。ベースバンドコントローラが種々のテストトーンのレベルを測定し、伝送線路内の種々の伝送トーンに対して適切なスケールファクタを設定するのが好ましい。
【００１６】
有利な実施例では、複数の機能ブロックのうちの一つをトーン発生器として使用する。ＦＦＴ機能ブロックを、１つのトーンのみを選択し出力信号を単一トーンモードで発生するように調整するのが好ましい。このような実施例では、単一テストトーンが周波数領域内の重畳トーンのスペクトルから選択され、順次に伝送され、例えば第１、第１０、第２０トーンが選択され、順次に伝送される。
【００１７】
本発明の精巧な代替実施例では、所定数のパイロットトーンをテストトーンとして使用する。これは簡単なテストトーンの制御及び発生であり、既存のパイロットトーンを使用する。１２パイロットトーンの１つのみを選択し、他のパイロットトーンは抑圧する。
【００１８】
他の代替実施例では、プリアンブル機能ブロックを校正モードに設定し、シングルフレームの伝送をエンドレスに反復させる。テストトーンの発生が１２８の可能なトーンのすべてを含む必要がある場合には、このフレームに含まれるパイロットトーンを刺激として使用する。
【００１９】
他の精巧な実施例では、媒体アクセス制御デバイスがゼロフレーム伝送又はトーン測定時間の長さと相関する長さを有するフレームの伝送を初期設定する。伝送されるフレームの長さはトーン測定のための時間を十分に満たす長さである。特に、７７μｓ〜２４２μｓが伝送線路又は空気中におけるフレームの最大長さであり、例えば５２８ＭＨｚの帯域幅及び１２８テストトーンの場合、２４２μｓである。
【００２０】
伝送システムのスペクトル校正モード中に、サフィックススペース挿入をディセーブルする。特に、サフィックススペース挿入機能ブロックが実際のテストトーン以外のすべてのトーンを抑圧する。
【００２１】
本発明は、更に、上記の目的を達成するために、媒体アクセス制御デバイスからディジタルインターフェースを介して物理層及びアンテナを経て伝送線路へデータを伝送する伝送システムであって、前記物理層はベースバンドコントローラと、複数の機能ブロックを具えるデータ処理パイプラインとを具えている伝送システムを校正するシステムにおいて、
校正制御レジスタを設定するステップと、
このとき、伝送システムを校正モードに設定し、伝送システムが所定数の単一テストトーンを発生し、これらのテストトーンを順次に送信するするステップと、
テストトーンの送信後に、戻ってきたテストトーンを検出し、それらのレベル、特に電力レベル及び伝送線路のスペクトル特性を測定するステップと、
を具えることを特徴とする。
【００２２】
上記の伝送システムにおいては、ベースバンドコントローラが種々のテストトーンのレベルを測定し、伝送線路内の種々の伝送トーンに対して適切なスケールファクタを設定するのが好ましい。
【００２３】
好適例では、複数の機能ブロックのうちの一つをトーン発生器として使用する。精巧な実施例では、ＦＦＴ機能ブロックを、１つのテストトーンを選択し出力信号を単一トーンモードで発生するように調整する。この場合には別個の外部波発生器が不要になる。
【００２４】
代替実施例では、プリアンブル機能ブロックをシングルフレームの伝送をエンドレスに反復する校正モードに設定する。
【００２５】
伝送システムの他の好適実施例では、媒体アクセス制御デバイスがゼロフレーム伝送又はトーン測定時間長と相関する長さを有するフレームの伝送を初期設定する。
【００２６】
本発明は、既存の構成要素を再使用することにより、簡単なハードウェア及び簡単な制御で実現できる利点を有する。本発明は特に高いチップレートを有する通信システムに有用である。とはいえ、上記の解決手段は通信デバイス、特にＵＷＢ送信のために提案されている。
【発明を実施するための最良の形態】
【００２７】
以下、図面を参照して本発明を更に詳細に説明する。
図１は超広帯域送信機１（以下手短に「送信機１」という）の全体ブロック図を示す。
【００２８】
送信機１又は伝送システムは特に無線通信デバイス（ＵＷＢ（超広帯域）送信機ともいう）に使用される。送信機１は、ポケットＰＣ、携帯電話、ディジタルカメラなどのいくつかの電子機器に集積化できる超広帯域トランシーバのようなトランシーバの一部分とすることができる。
【００２９】
送信機１は、媒体アクセス制御デバイス２からディジタルインターフェースＩＦ１を介して物理層ＰＨＹ及びアンテナ３を経て伝送線路４へデータを転送する。物理層ＰＨＹは、ベースバンドコントローラ５と、複数の機能ブロックＦＢ１〜ＦＢ１３を具えるデータ処理パイプライン６とを具える。基本的に、データを時間領域又は周波数領域で処理する機能ブロックＦＢ１〜ＦＢ１３はすべて時間領域から周波数領域へ又はその逆へシフトできる。例えば、機能ブロックＦＢ１〜ＦＢ１０は周波数領域で動作し、高速フーリエ変換機能ブロックＦＢ１０（簡単にＦＦＴ機能ブロックという）後の機能ブロックＦＢ１１〜ＦＢ１３は時間領域で動作する。
【００３０】
ノーマル動作モードでは、データが特に媒体アクセス制御デバイス２からディジタルインターフェース（ＭＡＣ−ＰＨＹインターフェースともいう）ＩＦ１のパラレルインターフェース部を介して物理層ＰＨＹに送られ、複数の機能ブロックＦＢ１〜ＦＢ１３を具えるデータ処理パイプラインを経てアンテナ３へ送られる。パケットが送信されるとき、これは常に、データ処理パイプライン６内のプリアンブル機能ブロックＦＢ１２で生成されるプリアンブルの送信から始まる。
【００３１】
一般に、シングルフレーム伝送モードでは、タイミング制御が物理層ＰＨＹのベースバンドコントローラ５内で実行される。媒体アクセス制御デバイス２は、コマンド信号“ＴＸ−ＥＮ”を設定することによってディジタルインターフェースＩＦ１のシリアルインターフェース部を介して単一フレーム伝送を開始する。通常、ベースバンドコントローラ５がこのイベントによりトリガされ、ベースバンドコントローラ５をプリアンブルブロックＦＢ１２と接続するプリアンブル開始信号を用いてプリアンブルの送信を直ちに開始させる。
【００３２】
プリアンブルブロックＦＢ１２のプリアンブルはプリアンブルメモリ６に格納された固定のシーケンスであり、従って他の送信パス機能ブロックＦＢ１〜ＦＢ１１により符号化されてはならない。それゆえ、物理層ＰＨＹの送信エンコーダは、符号化されたデータ信号がプリアンブルブロックＦＢ１２に到達するまでのプリアンブル送信中に、そのデータ処理パイプライン６を満たすのに十分な時間を有する。プリアンブルの送信が完了すると、符号化されたヘッダ及びペイロードが高速ディジタルフロントエンド７及び無線周波数サブシステム（簡単にアナログフロントエンドという）を経てアンテナ３に送信されなければならない。
【００３３】
本発明は送信機１を校正する方法に関する。この方法を以下に詳細に説明する。
【００３４】
一般に、媒体アクセス制御デバイス２は校正制御レジスタＲを設定する。このとき、送信機１は校正モードに設定される。送信機１を校正するために、以下の種々の精巧な実施例がある。
【００３５】
レジスタＲが設定されると、送信機１は「ノーマル送信モード」と同一に動作しなければならないが、「ゼロサフィックス挿入」機能ブロックＦＢ１３がディセーブルされる。言い換えれば、すべての異なる実施例において、送信機１が校正モードに設定されると、第１信号Ｓ１がゼロパッドサフィックス挿入をターンオフする。
【００３６】
第１の実施例では、送信機１は、例えば１２個の異なる周波数のテストトーンＴをサフィックススペースなしでシーケンシャルに送信し、送信機１のレベル検出器で検出する。次に、検出されたレベル、特に受信電力レベルが、ディジタルインターフェースＩＦ１を経て媒体アクセス制御デバイス２に帰還される前に、測定される。ディジタルインターフェースＩＦ１が受信した種々のテストトーンＴの電力レベルを測定し、種々の送信トーンに対する適切なスケールファクタをデータ処理パイプライン６に設定して送信線路４におけるスペクトル特性を調整する。
【００３７】
図２はテストトーンを選択する可能な第１の実施例を示す。複数のテストトーンＴが所定の異なる周波数で発生される。もっと詳しくいうと、５２８ＭＨｚ帯域内の１２８トーンの４番目ごとのトーンをテストトーンＴとして選択する。或いは、５２８ＭＨｚの帯域幅を有する伝送帯域に対して１２８トーンのうちの１２トーンをデータ処理ラインにおいてテストトーンＴとして選択することもできる。これらの単一テストトーンＴは周波数領域で選択される。この選択のために、追加の機能制御ブロックを実装できる。或いは、選択機能を周波数領域の機能ブロックＦＢ１〜ＦＢ１０のうちの１つのブロックに統合することもできる。
【００３８】
第２の実施例では、所定のパイロットトーンＰをテストトーンとして使用する。この実施例では、ベースバンドコントローラ５の第２信号Ｓ２(図１参照)が１つの単パイロットＰを所定の時間に通すようにシンボル成形機能ブロックＦＢ１１を設定する。この単パイロットトーンＰは周波数スペクトル全体に広がる。他のパイロットトーンは抑圧される。
【００３９】
第３の実施例では、ＦＦＴ機能ブロックＦＢ１０が、単一トーンモードにおいてたった１つの単一トーンを選択し、出力信号をテストトーンＴとして発生するように調整される。詳細には、ＦＦＴ機能ブロックＦＢ１０が単一テストトーンＴを高い振幅で増幅し、出力する。
【００４０】
他の実施例では、第３信号Ｓ３が所定のトーンを有するプリアンブルを反復するように設定する。特に、プリアンブル機能ブロックＦＢ１２内のプリアンブルモジュールが、シングルフレームをエンドレスに反復するモードに設定される。このフレームに含まれるパイロットトーンＰが刺激として使用される。テストトーンＴの発生が１２８の可能なトーンのすべてを含む必要がある場合には、プリアンブルブロックはこの場合のために別個の刺激パターンを発生する必要がある。
【００４１】
他の代替実施例では、媒体アクセス制御デバイス２がゼロフレーム伝送又はトーン測定のための時間を十分に満たす長さを有するフレームの伝送を初期設定する。例えば７７μｓが伝送線路内のフレームの最大長さである。
【００４２】
受信されたテストトーンＴの測定及び伝送線路４におけるスペクトル特性の調整は上記のすべての実施例において第１の実施例の方法に等しい。
【００４３】
伝送線路又はチャネルを校正するために、測定及び調整は周期的に、例えば１００ｍｓごとに、所定の状態で行われる。
【００４４】
図３は、複数の帯域Ｂ１〜Ｂｎを有する伝送チャネル全体のスペクトル特性、特にスペクトル平坦性の測定方法を示す。
【００４５】
測定システムのノーマル動作モードでは、「ＯＦＤＭ」シンボルが異なる帯域Ｂ１〜Ｂ２で伝送され、２つの「ＯＦＤＭ」シンボル間及び２つの帯域Ｂ１及びＢ２間にサフィックススペース挿入「サフィックス」を有する（並んだ四角参照）。校正モードでは、このサフィックススペース挿入及び帯域ホッピングが不活性化される。
【００４６】
送信機１の校正モードでは、単一テストトーンＴが１つの帯域Ｂ２のみにおいて所定の時間に伝送される（黒い四角参照）。この帯域Ｂ２のみが単一テストトーンで測定される。各帯域Ｂ１〜Ｂｎを校正するために、単一テストトーンＴが異なる帯域Ｂ１〜Ｂｎに順次に伝送される。関連する帯域Ｂ１〜Ｂｎの選択、例えばＢ１〜Ｂｎがどのくらい長く選択されるかは無線周波数サブシステム８のコントローラ又はベースバンドコントローラ５又は機能ブロックＦＢ１〜ＦＢ１３の１つにより行われる。
【００４７】
異なる帯域Ｂ１〜Ｂｎにおいて送信機１を校正する方法の実施を可能な実施例について以下にさらに詳細に説明する。
【００４８】
スペクトル特性の校正は媒体アクセス制御デバイス２により高レベルのアプリケーションで開始される。次のステップが連続的に適用される。
【００４９】
媒体アクセス制御デバイス２が校正モードを設定する。そのためには、ベースバンドコントローラ５が構成モードを設定する情報を必要とする。この理由のために、ベースバンドコントローラ５はベンダスペシフィック制御レジスタＲを含み、このレジスタは媒体アクセス制御デバイス２によりセットされる。レジスタＲがセットされると、送信機１は「ノーマル送信モード」と同一に動作しなければならない。言い換えれば、送信機1自体が校正に使用される。
【００５０】
「ノーマル送信モード」に対する、上述した本発明によるスペクトル平坦性校正モードの差は、データ処理パイプライン６はゼロパッドサフィックスを挿入してはいけないことになっている点にある。従って、ベースバンドコントローラ５は「ゼロサフィックス挿入」機能ブロックＦＢ１３への接続を有し、ゼロサフィックス挿入を第１信号Ｓ１でディセーブルできる。言い換えれば、ベースバンドコントローラ５は機能ブロックＦＢ１３を、ゼロパッドサフィックススペースを挿入しないように調整する。
【００５１】
その後すぐに、ベースバンドコントローラ５が機能ブロックＦＢ１１を、テストトーンＴ（１２のパイロットトーンの１つとすることができる）以外のすべてのトーンを抑圧する（係数“０”を乗算する）ように設定する。或いはまた、媒体アクセス制御デバイス２が機能ブロックＦＢ１１を１つの単一テストトーンＴを選択するように設定する。
【００５２】
媒体アクセス制御データがゼロフレーム伝送を初期設定する。
【００５３】
無線周波数サブシステム８がスペクトルの電力を測定し、その値をレジスタに格納する。
【００５４】
媒体アクセス制御デバイス２が無線周波数サブシステム８からレジスタの内容を読み出す。
【００５５】
媒体アクセス制御デバイス２が所定数の帯域Ｂ１〜Ｂｎに対して上述のステップを所定の回数、例えば全１２のパイロットトーンＰに対して全部で１２回繰り返す。
【図面の簡単な説明】
【００５６】
【図１】媒体アクセス制御デバイスがディジタルインターフェース（ＭＡＣ−ＰＨＹインターフェースともいう）を介して物理層及びアンテナに結合された装置のアーキテクチャのブロック構成図を示す。この装置は通信装置、例えばＵＷＢ装置として動作することができる。
【図２】複数のテストトーンをどのように選択するかを示す。
【図３】単一テストトーンによる単一帯域の測定方法を示す。
【符号の説明】
【００５７】
１          送信システム
２          媒体アクセス制御デバイス
３          アンテナ
４          伝送線路
５          ベースバンドコントローラ
６          データ処理パイプライン
７          高速ディジタルフロントエンド
８          無線周波数サブシステム
Ｂ          帯域
ＦＢ１〜ＦＢ１３  機能ブロック
Ｐ          パイロットトーン
Ｒ          校正制御レジスタ
Ｓ１〜Ｓ３  制御信号
Ｔ          テストトーン
【図１】
2009518988.tif 000003
【図２】
2009518988.tif 000004
【図３】
2009518988.tif 000005
【国際調査報告】
2009518988.tif 000006
2009518988.tif 000007